(57)【要約】      （修正有）【課題】バルコニーやベランダ等に敷設されるタイルマットであって、設置作業が容易であり、摩擦等の水平法の荷重や温度変化によっても、マット基材からのタイルマットの剥離を防止することができ、支持脚部にも十分な強度を備えるタイルマットを提供する。【解決手段】組み立て式マット基材１０の上面にタイル２０が載置されて床置き使用されるタイルマットであって、マット基材の脚部１１は筒状に構成され中心部に空洞部１２が設けられた構造で、タイルのマット基材に載置される際に接する側の面にはタイルと一体成型された凸部２１が設けられ、凸部が空洞部に挿入されることにより凸部と空洞部が嵌合してタイルがマット基材上に載置され、嵌合状態において、凸部の先端が空洞部の先端から突出しないように構成されている。【選択図】図２
0003217176.tif 000002
【実用新案登録請求の範囲】
【請求項１】
組み立て式マット基材の上面にタイルが載置されて床置き使用されるタイルマットであって、
前記マット基材の脚部は筒状に構成され中心部に空洞部が設けられた構造で、
前記タイルの前記マット基材に載置される際に接する側の面に前記タイルと一体成型された凸部が設けられており、
前記凸部が前記空洞部に挿入されることにより前記凸部と前記空洞部が嵌合して前記タイルが前記マット基材上に載置され、
嵌合状態において、前記凸部の先端が前記空洞部の先端から突出しないように構成されていることを特徴とするタイルマット。
【請求項２】
請求項１に記載のタイルマットにおいて、
前記空洞部内において前記凸部の前記空洞部外への離脱を阻止するための係止部が、該凹部の内面から突設され、
前記凸部に前記係止部に係止される係止部が凹設されていることを特徴とするタイルマット。
【請求項３】
請求項１に記載のタイルマットにおいて、
前記空洞部内において前記凸部の前記空洞部外への離脱を阻止するための係止部が、該空洞部の内面に凹設され、
前記凸部に前記係止部に係止される係止部が凸設されていることを特徴とするタイルマット。
【請求項４】
請求項１乃至請求項３のいずれか１項に記載のタイルマットにおいて、
前記凸部が弾性部材からなり、
前記凸部の先端部から軸方向に沿って切欠き部が設けられていることを特徴とするタイルマット。
【請求項５】
請求項１乃至請求項３のいずれか１項に記載のタイルマットにおいて、
前記凸部が弾性部材からなり、
前記空洞部の内径は前記脚部の先端に近づくにつれて細くなるように構成され、
前記凸部が弾性部材の弾力により前記空洞部の内壁に圧着されることにより前記凸部の前記空洞部外への離脱を阻止するように構成されていることを特徴とするタイルマット。
【考案の詳細な説明】
【技術分野】
【０００１】
本考案は、バルコニーやベランダ等に敷設されるタイルマットに関する。
【背景技術】
【０００２】
従来、タイルフロアは、下地材上にタイルがモルタルや接着剤などを用いて接合されて所定配列状態に並べられた構造となっており、作業に熟練を要する上に施工に手間がかかり、そのため工期が長くかかり、費用もかさむ等の問題がある。
【０００３】
そこで、組み立て式のタイルマット基材の上面に樹脂マットを載置した組み立て式タイルマットを用いることにより、熟練工でなくとも工期を短縮し費用も節減する工法が採用されている。
【０００４】
しかし、タイルマットは、その上を多くの人間が歩きまわったり、家具や荷物を移動させたりする際に圧力や摩擦などを受け、また、季節変動やエアコンディショニング等により、温度変化による膨張収縮作用が生じ、マット基材上へのタイルマットの載置を安定されるのが困難であるという問題がある。
【０００５】
また、安定性のためにモルタルや接着剤を用いて接合するものでは、接合作業が非常に面倒である上、いったん接着したら、タイルを自由に取り外せないから、末端の使用者がタイルの配列を工夫しながら施工するといった自由度がほとんど得られず、下方からビス止めするものでは、取り付け作業が面倒である上、セラミックタイルに対しては採用が難しいという不都合もあった。
【０００６】
このような問題を解決するために、 基板部を有する樹脂マットと、この樹脂マットの基板部の上面に接合される踏板とからなる複合床材において、樹脂マットの基板部に多数の小孔を穿設するとともに、踏板の下面に小孔に嵌合し得るピンを突設し、 樹脂マットの基板部の下面に支持脚部が突設され、この支持脚部の位置に小孔が穿設されていることを特徴とする複合床材（特許文献１）が知られている。
【先行技術文献】
【特許文献】
【０００７】
【特許文献１】特開平８−１３５１４７
【考案の概要】
【考案が解決しようとする課題】
【０００８】
しかし、上述した樹脂マットの基板部の踏板の下面に嵌合ピンを突設し、 樹脂マットの基板部の下面に突設された支持脚部の位置に小孔が穿設されていることを特徴とする複合床材（特許文献１）においては、支持脚部に小孔が穿設されているために支持脚部が脆弱になるという問題があった。
【０００９】
本考案はこのような事情に鑑みてなされたものであり、設置作業が容易であり、摩擦等の水平法の荷重や温度変化によっても、マット基材からのタイルマットの剥離を防止することができ、支持脚部にも十分な強度を備えるタイルマットを提供することを目的とする。
【課題を解決するための手段】
【００１０】
このような目的に応えるために本考案に係るタイルマットは、組み立て式マット基材の上面にタイルが載置されて床置き使用されるタイルマットであって、前記マット基材の脚部は筒状に構成され中心部に空洞部が設けられた構造で、前記タイルの前記マット基材に載置される際に接する側の面に前記タイルと一体成型された凸部が設けられており、前記凸部が前記空洞部に挿入されることにより前記凸部と前記空洞部が嵌合して前記タイルが前記マット基材上に載置され、嵌合状態において、前記凸部の先端が前記空洞部の先端から突出しないように構成されていることを特徴とする。
【００１１】
このように構成することにより、タイルを容易にマット基材に固定することができ、脚部の内部から凸部がタイルを支えることにより、マット基材を支える脚部が補強され、かつ、脚部の先端部から凸部先端が突出していないので前記マット基材の安定性を損なわず、凸部がタイルと一体成型されているので、凸部とタイルが剥離しないようにタイルをマット基材に固定することができる。
【００１２】
また、本考案に係るタイルマットは、脚部の空洞部内において凸部の空洞部外への離脱を阻止するための係止部が、該凹部の内面から突設され、前記凸部に前記係止部に係止される係止部が凹設されていることを特徴とする。
【００１３】
このように構成することにより、タイルに設けられた凸部がマット基材の凹部外へ離脱しないように係止することができる。
【００１４】
また、本考案に係るタイルマットは、空洞部内において前記凸部の前記空洞部外への離脱を阻止するための係止部が、該空洞部の内面に凹設され、前記凸部に前記係止部に係止される係止部が凸設されていることを特徴とする。
【００１５】
このように構成することにより、タイルに設けられた凸部がマット基材の凹部外へ離脱しないように係止することができる。
【００１６】
また、本考案に係るタイルマットは、前記凸部が弾性部材からなり、前記凸部の先端部から軸方向に沿って切欠き部が設けられていることを特徴とする。
【００１７】
このように構成することにより、タイル凸部のマット基材脚部に設けられた空洞に挿入する際に、タイル凸部の先端部の空洞部への挿入を容易にすることができる。
【００１８】
さらに、本考案に係るタイルマットは、前記凸部が弾性部材からなり、前記空洞部の内径は前記脚部の先端に近づくにつれて細くなるように構成され、前記凸部が弾性部材の弾力により前記空洞部の内壁に圧着されることにより前記凸部の前記空洞部外への離脱を阻止するように構成されていることを特徴とする。
【００１９】
このように構成することにより、タイルとマット基材とをさらに強固に係止することができる。
【考案の効果】
【００２０】
以上説明したように本考案に係るタイルマットによれば、タイルとマット基材とを容易に、かつ、強固に結合することができ、脚部も十分な強度を備え、組み立て作業もスムースに行うことができるという優れた効果がある。
【図面の簡単な説明】
【００２１】
【図１】本考案に係る第一の実施の形態に係るタイルマットの斜視図である。
【図２】図1のタイルマットの、タイルのマット基材への取り付け方法を示す斜視図である。
【図３】図1のタイルマットの、タイル1枚分のマット基材の平面図の拡大図である。
【図４】図1のタイルマットの、タイル1枚分のマット基材の底面図の拡大図である。
【図５】図1のタイルマットの、タイル1枚の平面図の拡大図である。
【図６】図1のタイルマットの、タイル1枚の底面図の拡大図である。
【図７】本考案に係る第一の実施の形態に係るタイルとマット基材の嵌合部を示す拡大である。
【図８】図７のタイルとマット基材を嵌合させた状態を示す拡大図である。
【図９】本考案に係る第二の実施の形態に係るタイルとマット基材の嵌合部を示す拡大である。
【図１０】図９のタイルとマット基材を嵌合させた状態を示す拡大図である。
【図１１】本考案に係る第三の実施の形態に係るタイルとマット基材の嵌合部を示す拡大である。
【図１２】図１１のタイルとマット基材を嵌合させた状態を示す拡大図である。
【図１３】本考案に係る第四の実施の形態に係るタイルの凸部を示す拡大である。
【図１４】本考案に係る第四の実施の形態に係るタイルとマット基材の嵌合部を示す拡大である。
【図１５】図１４のタイルとマット基材を嵌合させる状態を示す拡大図である。
【図１６】本考案に係る第五の実施の形態に係るタイルの凸部を示す拡大図である。
【図１７】本考案に係る第五の実施の形態に係るタイルとマット基材の嵌合部を示す拡大図である。
【図１８】図１６のタイルとマット基材を嵌合させた状態を示す拡大図である。
【考案を実施するための形態】
【００２２】
本考案は以上のような構成であるので、これを図面に基づきながら本考案の実施の形態を説明する。
【００２３】
図面は本考案に係るタイルマットの実施の形態を示す。
図１ないし図８において第一の実施の形態が示されている。
図１において、全体記号１で示す本考案に係るタイルマットは、タイル２０がマット基材１０に載置されるように構成されており、マット基材１０の側面に設けられたマット基材連結凸部が他のマット基材１０の側面に設けられたマット基材連結凹部に挿入されることにより係止されるように構成されている。
【００２４】
図２ないし図８では、本実施形態におけるタイル１０がマット基材２０に載置される構造を示す。図２において示すように、マット基材１０に設けられた脚部１１には、脚部空洞１２が設けられている。
【００２５】
図３は（ａ）がマット基材１０の平面図であり、（ｂ）は（ａ）のＡ−Ａ’断面図である。
【００２６】
図４は（ａ）がマット基材１０の底面図であり、（ｂ）は（ａ）のＢ−Ｂ’断面図である。
【００２７】
図５は（ａ）がタイル２０の平面図であり、（ｂ）は（ａ）のＡ−Ａ’断面図である。
【００２８】
図６は（ａ）がタイル２０の底面図であり、（ｂ）は（ａ）のＢ−Ｂ’断面図である。
【００２９】
図７はタイル２０をマット基材１０に載置させる前の状態を図３（ｂ）の拡大図と図５（ｂ）の拡大図とを用いて示したものである。
【００３０】
図８はタイル２０をマット基材１０に載置させた状態を図３（ｂ）の拡大図と図５（ｂ）の拡大図とを用いて示したものである。タイル凸部２１が脚部空洞１２に嵌合し、マット基材１０へのタイル２０の載置を安定させるとともに、脚部１１をタイル凸部２１が補強している。
【００３１】
図９ないし図１０において第二の実施の形態が示されている。
図９は弾性を備える樹脂製のタイル３０をマット基材１０に載置させる前の状態をタイル３０の断面図の拡大図とマット基材１０の断面図の拡大図とを用いて示したもので、タイル凸部３１にはタイル凸部凸設係止部３２が設けられ、脚部１１には脚部空洞凹設係止部１３が設けられている。
【００３２】
図１０はタイル３０をマット基材１０に載置させた状態をタイル３０の断面図の拡大図とマット基材１０の断面図の拡大図とを用いて示したもので、タイル凸部３１が脚部空洞１２に嵌合し、マット基材１０へのタイル３０の載置を安定させるとともに、脚部１１をタイル凸部３１が補強し、タイル凸部凸設係止部３２が脚部空洞凹設係止部１３に嵌合することで、マット基材１０へのタイル３０の載置をさらに安定させている。
【００３３】
図１１ないし図１２において第三の実施の形態が示されている。
図１１は弾性を備える樹脂製のタイル４０をマット基材１０に載置させる前の状態をタイル４０の断面図の拡大図とマット基材１０の断面図の拡大図とを用いて示したもので、タイル凸部４１にはタイル凸部凹設係止部４２が設けられ、脚部１１には脚部空洞凸設係止部１４が設けられている。
【００３４】
図１２はタイル４０をマット基材１０に載置させた状態をタイル４０の断面図の拡大図とマット基材１０の断面図の拡大図とを用いて示したもので、タイル凸部４１が脚部空洞１２に嵌合し、マット基材１０へのタイル４０の載置を安定させるとともに、脚部１１をタイル凸部４１が補強し、タイル凸部凹設係止部４２に脚部空洞凸設係止部１４が嵌合することで、マット基材１０へのタイル４０の載置をさらに安定させている。
【００３５】
図１３ないし図１５において第四の実施の形態が示されている。
図１３は弾性を備える樹脂製のタイル５０の底面の斜視拡大図で、タイル凸部５１にはタイル凸部切り欠き部５２が設けられている。
【００３６】
図１４はタイル４０をマット基材１０に載置させる前の状態をタイル５０の断面図の拡大図とマット基材１０の断面図の拡大図とを用いて示したもので、タイル凸部５１にはタイル凸部切り欠き部５２が設けられている。
【００３７】
図１５（ａ）はタイル５０をマット基材１０に載置させようとする状態をタイル５０の断面図の拡大図とマット基材１０の断面図の拡大図とを用いて示したもので、タイル凸部５１のタイル凸部切り欠き部５２を矢印方向に押すことで、脚部空洞１５にタイル凸部５１が挿入されやすくなっている。
図１５（ｂ）はタイル５０をマット基材１０に載置させた状態をタイル５０の断面図の拡大図とマット基材１０の断面図の拡大図とを用いて示したもので、タイル凸部５１が脚部空洞１５に嵌合し、マット基材１０へのタイル５０の載置を安定させるとともに、脚部１１をタイル凸部５１が補強し、脚部空洞１５にタイル凸部５１が嵌合される際に、タイル凸部切り欠き部５２は元の形状に戻り、脚部空洞１５の内壁とタイル凸部５１の外周部が接していることによって、マット基材１０へのタイル５０の載置を安定させている。
【００３８】
図１６ないし図１８において第四の実施の形態が示されている。
図１６は弾性を備える樹脂製のタイル６０の底面の斜視拡大図で、タイル凸部６１にはタイル凸部切り欠き部６２が設けられている。
【００３９】
図１７はタイル６０をマット基材１０に載置させる前の状態をタイル６０の断面図の拡大図とマット基材１０の断面図の拡大図とを用いて示したもので、タイル凸部６１にはタイル凸部切り欠き部６２が設けられ、脚部空洞１５は脚部１１の先端に近づくほど内径が細くなるように構成されている。
【００４０】
図１８はタイル６０をマット基材１０に載置させた状態をタイル６０の断面図の拡大図とマット基材１０の断面図の拡大図とを用いて示したもので、タイル凸部６１が脚部空洞１５に嵌合し、マット基材１０へのタイル６０の載置を安定させるとともに、脚部１１をタイル凸部６１が補強し、脚部空洞１５にタイル凸部６１が嵌合される際に、タイル凸部切り欠き部６２が綴じることで脚部１１の先端に近づくほど内径が細くなるように構成されている脚部空洞１５にタイル凸部６１が嵌合され、タイル凸部６１が素材である樹脂の弾性により脚部空洞１５の内壁側に反発力を発揮することによって、マット基材１０へのタイル６０の載置をさらに安定させている。
【００４１】
以上に説明したように、本考案に係るタイルマット１によれば、タイルがマット基材からずれたり抜けたりせずに、安定して載置され、また、工事現場への運搬にも便利で作業の軽減にもつながるという優れた効果がある。
【００４２】
タイル１０の材質は樹脂製が望ましいが、本考案に係る構造を構成できるような柔軟性を備えていれば、樹脂に限定されない。
【００４３】
タイル凸部の先端部の位置は、脚部空洞部の長さの根元から５０％から９５％の位置が、嵌合の安定のために望ましく、特に、脚部空洞部の長さの根元から６５％から８５％の位置が、嵌合の安定と部品の成型工程の工数抑制のために望ましい。
【００４４】
なお、本考案は上述した実施の形態で説明した構造には限定されず、各部の構成等を適宜変更し得ることはいうまでもない。
例えば、マット基材とタイルの嵌合を強化するためのマット基材の脚部空洞とタイル凸部の構造は、様々な部位に嵌合凸部と嵌合凹部を設置し得るし、脚部空洞を先端に近づくほど内径が細くなるように構成した場合に、タイル凸部も先端に近づくほど外径が細くなるように構成し、脚部空洞の先端部の内径よりタイル凸部の先端部の外径をわずかに太くしておくことで、素材である樹脂の反発力により、マット基材へのタイルの載置をより安定させることができる。
また、係止部はマット基材の側面にもともと設けられているだけでなく、マット基材の側面に係止部を嵌合する嵌合部を設け、この嵌合部に分離されている係止部を嵌合することにより形成される構造としてもよい。
【産業上の利用可能性】
【００４５】
基材と表面材を嵌合させる用途であれば、例えば壁面材にも適用することができる。
【符号の説明】
【００４６】
１    タイルマット
１０  マット基材
１１  脚部
１２  脚部空洞
１３  脚部空洞凹設係止部
１４  脚部空洞凸設係止部
１５  脚部空洞
２０  タイル
２１  タイル凸部
３０  タイル
３１  タイル凸部
３２  タイル凸部凸設係止部
４０  タイル
４１  タイル凸部
４２  タイル凸部凹設係止部
５０  タイル
５１  タイル凸部
５２  タイル凸部切り欠き部
５０  タイル
５１  タイル凸部
５２  タイル凸部切り欠き部
【図１】
0003217176.tif 000003
【図２】
0003217176.tif 000004
【図３】
0003217176.tif 000005
【図４】
0003217176.tif 000006
【図５】
0003217176.tif 000007
【図６】
0003217176.tif 000008
【図７】
0003217176.tif 000009
【図８】
0003217176.tif 000010
【図９】
0003217176.tif 000011
【図１０】
0003217176.tif 000012
【図１１】
0003217176.tif 000013
【図１２】
0003217176.tif 000014
【図１３】
0003217176.tif 000015
【図１４】
0003217176.tif 000016
【図１５】
0003217176.tif 000017
【図１６】
0003217176.tif 000018
【図１７】
0003217176.tif 000019
【図１８】
0003217176.tif 000020
【手続補正書】
【提出日】平成30年5月25日(2018.5.25)
【手続補正１】
【補正対象書類名】実用新案登録請求の範囲
【補正対象項目名】全文
【補正方法】変更
【補正の内容】
【実用新案登録請求の範囲】
【請求項１】
組み立て式マット基材の上面にタイルが載置されて床置き使用されるタイルマットであって、
前記マット基材の脚部は筒状に構成され中心部に空洞部が設けられた構造で、
前記タイルの前記マット基材に載置される際に接する側の面に前記タイルと一体成型された凸部が設けられており、
前記凸部が前記空洞部に挿入されることにより前記凸部と前記空洞部が嵌合して前記タイルが前記マット基材上に載置され、
嵌合状態において、前記凸部の先端が前記空洞部の先端から突出しないように構成されていることを特徴とするタイルマット。
【請求項２】
請求項１に記載のタイルマットにおいて、
前記空洞部内において前記凸部の前記空洞部外への離脱を阻止するための係止部が、該空洞部の内面から突設され、
前記凸部に前記係止部に係止される係止部が凹設されていることを特徴とするタイルマット。
【請求項３】
請求項１に記載のタイルマットにおいて、
前記空洞部内において前記凸部の前記空洞部外への離脱を阻止するための係止部が、該空洞部の内面に凹設され、
前記凸部に前記係止部に係止される係止部が凸設されていることを特徴とするタイルマット。
【請求項４】
請求項１乃至請求項３のいずれか１項に記載のタイルマットにおいて、
前記凸部が弾性部材からなり、
前記凸部の先端部から軸方向に沿って切欠き部が設けられていることを特徴とするタイルマット。
【請求項５】
請求項１乃至請求項３のいずれか１項に記載のタイルマットにおいて、
前記凸部が弾性部材からなり、
前記空洞部の内径は前記脚部の先端に近づくにつれて細くなるように構成され、
前記凸部が弾性部材の弾力により前記空洞部の内壁に圧着されることにより前記凸部の前記空洞部外への離脱を阻止するように構成されていることを特徴とするタイルマット。